(57)【要約】【課題】制作された映像・音声コンテンツを再生することによりメタデータとすべき情報を確認し、音声入力でコンンピュータ等に入力することにより前記メタデータを制作し、検索するシステムを提供することを目的とする。【課題解決】コンテンツに関連するメタデータの制作装置であって、制作されたコンテンツに合わせて制作されたシナリオ、或いは前記コンテンツの内容から抽出されたコンテンツ管理用キーワードの音声信号を入力し、前記音声信号をデータ化する入力手段と、前記入力手段でデータ化された音声信号データから、キーワードを認識する音声認識手段と、前記音声認識手段から出力されたキーワードを、コンテンツに含まれる画像信号との時間位置を示すタイムコードと共にメタデータファイルに記憶するファイル処理手段とを具備する。【選択図】  図１
2004153764.tif 000002
【特許請求の範囲】
【請求項１】
コンテンツに関連するメタデータの制作装置であって、
制作されたコンテンツに合わせて制作されたシナリオ、或いは前記コンテンツの内容から抽出されたコンテンツ管理用キーワードの音声信号を入力し、前記音声信号をデータ化する入力手段と、
前記入力手段でデータ化された音声信号データから、キーワードを認識する音声認識手段と、
前記音声認識手段から出力されたキーワードを、コンテンツに含まれる画像信号との時間位置を示すタイムコードと共にメタデータファイルに記憶するファイル処理手段とを具備することを特徴とするメタデータ制作装置。
【請求項２】
前記音声認識手段は、ジャンル別辞書を複数用意し、コンテンツに適合したジャンルの辞書を選択することを特徴とする請求項１記載のメタデータ制作装置。
【請求項３】
前記音声認識手段は、ジャンル別辞書を複数用意し、コンテンツに適合したジャンルの辞書を選択し、さらに、前記シナリオ、或いはコンテンツの内容から抽出したキーワードを優先認識するようにしたことを特徴とする請求項１または２に記載のメタデータ制作装置。
【請求項４】
コンテンツに関連するメタデータの制作装置であって、
制作されたコンテンツにナレーションの音声信号を入力し、前記音声信号をデータ化する入力手段と、
ジャンル別辞書を複数用意し、コンテンツに適合したジャンルの辞書を選択するとともに、前記コンテンツのシナリオ、或いは前記コンテンツの内容から抽出したキーワードを優先認識するように設定し、前記入力装置でデータ化された音声信号データから、キーワードを認識する音声認識手段と、
前記音声認識手段から出力されたキーワードを、コンテンツに含まれる画像信号との時間位置を示すタイムコードと共に、メタデータファイルに記憶するファイル処理手段とを具備することを特徴とするメタデータ制作装置。
【請求項５】
コンテンツに関連するメタデータの検索装置であって、
制作されたコンテンツに合わせて制作されたシナリオ、或いは前記コンテンツの内容から抽出されたコンテンツ管理用キーワードの音声信号を入力し、前記音声信号をデータ化する入力手段と、
前記入力手段でデータ化された音声信号データから、キーワードを認識する音声認識手段と、
前記音声認識手段から出力されたキーワードを、コンテンツに含まれる画像信号との時間位置を示すタイムコードと共にメタデータファイルに記憶するファイル処理手段と、
前記コンテンツファイルの記録位置と前記メタデータファイルの関係を管理する制御ファイルを発生させるコンテンツ情報ファイル処理手段と、
前記コンテンツファイルと、前記メタデータファイルと、前記制御ファイルとを記録する記録手段とを具備したことを特徴とするメタデータ検索装置。
【請求項６】
前記コンテンツ情報ファイル処理手段から出力される制御ファイルは、コンテンツの記録時間に合わせた記録手段の前記コンテンツ記録位置を明記するテーブルとし、前記タイムコードから前記コンテンツの記録位置を検索できるようにしたことを特徴とする請求項５記載のメタデータ検索装置。
【請求項７】
前記音声認識手段は、ジャンル別辞書を複数用意し、コンテンツに適合したジャンルの辞書を選択し、さらに、前記シナリオ、或いは前記コンテンツの内容から抽出したキーワードを優先認識するようにしたことを特徴とする請求項５または６に記載のメタデータ検索装置。
【請求項８】
コンテンツに関連するメタデータの検索装置であって、
制作されたコンテンツに合わせて制作されたシナリオ、或いは前記コンテンツの内容から抽出されたコンテンツ管理用キーワードの音声信号を入力し、前記音声信号をデータ化する入力手段と、
ジャンル別辞書を複数用意し、コンテンツに適合したジャンルの辞書を選択し、前記入力手段でデータ化された音声信号データから、キーワードを認識する音声認識手段と、
前記音声認識手段から出力されたキーワードを、コンテンツに含まれる画像信号との時間位置を示すタイムコード共にメタデータファイルに記憶するファイル処理手段と、
前記コンテンツファイルの記録位置と前記メタデータファイルの関係を管理する制御ファイルを発生させるコンテンツ情報ファイル処理手段と、
前記コンテンツファイルと、前記メタデータファイルと、前記制御ファイルとを一緒に記録する記録手段と、
前記音声認識手段で用いた共通辞書からキーワードを選定し、前記選定したキーワードが記録されている前記メタデータファイルを特定し、前記記録手段に記録されているコンテンツの中から、検索したいコンテンツを検索し、前記制御ファイルから検索したいシーンの記録位置を検索する検索手段とを具備し、
コンテンツ管理用メタデータを自動発生し、前記メタデータから前記記録手段に記録されたコンテンツファイルの記録位置を特定することを特徴とするメタデータ制作装置及び検索装置。
【発明の詳細な説明】
【０００１】
【発明の属する技術分野】
本発明は、コンテンツ制作におけるメタデータ制作装置及び検索装置に関するものである。
【０００２】
【従来の技術】
近年、映像・音声コンテンツの制作において、これらコンテンツに関連したメタデータの付与することがおこなわれている。
【０００３】
しかしながら、上記メタデータの付与は、制作された映像・音声コンテンツのシナリオあるいはナレーション原稿をもとに、制作された映像・音声コンテンツを再生しながらメタデータとすべき情報を確認し、手作業でコンピュータ入力することにより制作する方法が一般的であり、相当な労力の必要な方法であった。
【０００４】
また、カメラ撮影時に音声認識を用いタグ付けをするシステムは存在するが、撮影と同時に使用されるものに過ぎなかった。（特許文献１参照）
【０００５】
【特許文献１】
特開平０９−１３０７３６号公報
【０００６】
【発明が解決しようとする課題】
本願発明は、上記従来の問題点に係る課題を解決することを目的とするものであって、制作された映像・音声コンテンツを再生することによりメタデータとすべき情報を確認し、音声入力でコンンピュータ等に入力することにより前記メタデータを制作し、検索するシステムを提供することを目的とする。
【０００７】
【課題を解決するための手段】
上記課題を解決するために本願発明は、制作されたコンテンツに合わせて制作されたシナリオ、或いは前記コンテンツの内容から抽出されたコンテンツ管理用キーワードの音声信号を入力し、前記音声信号をデータ化する入力手段と前記入力手段でデータ化された音声信号データから、キーワードを認識する音声認識手段と、前記音声認識手段から出力されたキーワードを、コンテンツに含まれる画像信号との時間位置を示すタイムコードと共にメタデータファイルに記憶するファイル処理手段とを備えたものである。
これにより、従来キーボードで入力し、制作していたメタデータを、音声認識を用いて音声入力し、自動的にタイムコード付きのメタデータを制作することが可能となる。
特に、数秒単位の間隔でメタデータを付与する場合は、キー入力では困難であるが、本構成によれば、数秒単位間隔であっても効率よく、メタデータを付与できる。
また、音声入力する際に、事前シナリオ、或いはコンテンツの内容からキーワードを限定して入力する構成となっているので、音声認識の認識率を改善できる。
【０００８】
【発明の実施の形態】
本発明の請求項１から４に係る発明は、制作されたコンテンツに合わせて制作されたシナリオから抽出されたコンテンツ管理用キーワードの音声信号を入力し、前記音声信号をデータ化する入力手段と前記入力手段でデータ化された音声信号データから、キーワードを認識する音声認識手段と、前記音声認識手段から出力されたキーワードをコンテンツに含まれる画像信号との時間位置を示すタイムコードと共にメタデータファイルに記憶するファイル処理手段とを具備したことを特徴とするメタデータ制作装置である。
【０００９】
本発明の請求項５から７に係る発明は制作されたコンテンツに合わせて制作されたシナリオ、或いはコンテンツの内容から抽出されたコンテンツ管理用キーワードの音声信号を入力し、前記音声信号をデータ化する入力手段と前記入力手段でデータ化された音声信号データから、キーワードを認識する音声認識手段と、前記音声認識手段から出力されたキーワードを、コンテンツに含まれる画像信号との時間位置を示すタイムコードと共にメタデータファイルに記憶するファイル処理手段と、前記コンテンツファイルと前記メタデータファイルの関係を管理する制御ファイルを発生させるコンテンツ情報ファイル処理手段と、前記コンテンツファイルと、前記メタデータファイルと、前記制御ファイルとを記録する記録手段とを具備したことを特徴とするメタデータ検索装置である。
【００１０】
本発明の請求項８に係る発明は制作されたコンテンツに合わせて制作されたシナリオ、或いはコンテンツの内容から抽出されたコンテンツ管理用キーワードの音声信号を入力し、前記音声信号をデータ化する入力手段と、ジャンル別辞書を複数用意し、コンテンツに適合したジャンルの辞書を選択し、前記入力手段でデータ化された音声信号データから、キーワードを認識する音声認識手段と、前記音声認識手段から出力されたキーワードを、コンテンツに含まれる画像信号との時間位置を示すタイムコードと共にメタデータファイルに記憶するファイル処理手段と、前記コンテンツファイルの記録位置と前記メタデータファイルの関係を管理する制御ファイルを発生させるコンテンツ情報ファイル処理手段と、前記コンテンツファイルと、前記メタデータファイルと、前記制御ファイルとを一緒に記録する記録手段と、検索したいコンテンツの分野に適合した、前記音声認識手段で用いた共通辞書からキーワードを選定し、前記選定したキーワードが記録されている前記メタデータファイルを特定し、前記記録手段に記録されているコンテンツの中から、検索したいコンテンツを検索し、前記制御ファイルから検索したいシーンの記録位置を検索する検索手段とを具備し、前記メタデータから前記記録手段に記録されたコンテンツファイルの記録位置とを特定することを特徴とするメタデータ検索装置である。
【００１１】
以下、本発明の実施の形態について図面を用いて説明する。
（実施の形態１）
図１は、本発明の実施の形態１によるメタデータ制作装置の構成を示すブロック図である。
【００１２】
図１において、１はコンテンツデータベース（ＤＢ）、２は入力手段、３は音声認識手段、４は辞書データベース（ＤＢ）、５はファイル処理手段、１１は映像モニタである。
コンテンツＤＢ１は、例えばＶＴＲ（あるいはハードディスクで構成された映像・音声信号再生手段、あるいは半導体メモリなどのメモリ手段を記録媒体とする映像・音声信号再生手段、あるいは光学記録式または磁気記録式などの回転型ディスクで構成された映像・音声信号再生手段、更には伝送されてきたあるいは放送されてきた映像・音声信号を１次記録し、再生する映像・音声再生手段などの、コンテンツに合わせたタイムコードを発生しながら再生する手段を備えたコンテンツ記録手段）である。
コンテンツＤＢ１から再生されたタイムコード付き、映像信号は映像モニタ１１に出力され、前記映像モニタ１１で映出される。
次に、前記映像モニタ１１に映出されたコンテンツに合わせて、ナレータ１２がマイクロホーンを用いてナレーションの音声信号を入力する。この際、ナレーターは映像モニタ１１に映しだされたコンテツ、あるいは、タイムコードを確認し、シナリオ、或いはナレーション原稿、或いはコンテンツの内容などを基に抽出されたコンテンツ管理用キーワードを発声し、マイクロホーンを用いてナレーションとして音声信号を入力する。
従って，前記したように入力される音声信号を前もってシナリオ等から限定されたキーワードを使用することによって、後段の音声認識手段３での認識率を改善させることができる。
次に、入力手段２ではマイクロホーンから入力された音声信号を、コンテンツＤＢ１から出力されている垂直同期信号に同期したクロックで、前記音声信号をデータ化する。
次に、入力手段２でデータ化された音声信号データは、音声認識手段３に入力される。また、同時に、音声認識に必要な辞書が辞書ＤＢ４から供給される。
ここで、使用する音声認識用辞書を端子１０２から辞書ＤＢ４に設定する。
例えば、図２に示すように各分野別に辞書ＤＢ４が構成されていたとすると、使用する分野を端子１０２（例えば、キー入力できるキーボード端子）から設定する。
料理番組の場合は、料理―日本料理―料理法―野菜炒め等を端子１０２から辞書ＤＢ４を設定する。
前記のように辞書ＤＢ４を設定することで使用する単語、および、音声認識すべき単語を制限し、音声認識手段３の認識率を改善する。
また、更に、図１にもどり、端子１０２からシナリオ、あるいは、シナリオ原稿、あるいはコンテンツの内容から抽出されたキーワードを入力する。
例えば、料理番組の場合は、図３に示すレシピを端子１０２から入力する。
従って、レシピに記入されている単語が音声信号として入力されてくる可能性が高いので、辞書ＤＢ４では端子１０２から入力されたレシピ単語の認識優先度を明示し、優先して音声認識を行うようにする。
例えば、「柿」と「貝のカキ」が辞書中にあった場合、端子１０２から入力されたレシピ単語が「貝のカキ」のみの場合は、「貝のカキ」に優先順位１がつけられる。
音声認識手段３では、「かき」という音声を認識した場合、辞書ＤＢ４に設定された単語の優先順位１が明記されている「貝のカキ」と認識する。
従って、辞書ＤＢ４では、端子１０２から入力される分野で単語を限定し、更に、シナリオを端子１０２から入力して単語の優先度を明示することで、音声認識手段３での認識率を改善させることができる。
図１にもどり、音声認識手段３では、辞書ＤＢ４から供給された辞書に従って、入力手段２から入力された音声信号データを認識し、メタデータを生成する。
次に、音声認識手段３から出力されたメタデータは、ファイル処理手段５に入力される。
ここで、前述したように入力手段２では、コンテンツＤＢ１から再生された垂直同期信号に同期して、音声信号をデータ化している。
従って、ファイル処理手段５では、入力手段２からの同期情報と、コンテンツＤＢ１から供給されるタイムコード値とを用いて、音声認識手段３から出力されたメタデータに、ｆｉｌｅ開始からの１秒ごとの基準時間（ＴＭ＿ＥＮＴ  （秒））と、基準時間からのフレームオフセット数を示す（ＴＭ＿ＯＦＦＳＥＴ）と、タイムコードを付記した形式でｆｉｌｅ化処理する。
例えば、前述した料理番組の場合は、図４に示したようなＴＥＸＴ形式のメタデータファイルが、ファイル処理手段５から出力される。
次に、記録手段７ではファイル処理手段５から出力されたメタデータファイルとコンテンツＤＢ１から出力されたコンテンツを記録する。
ここで、記録手段７は、ＨＤＤ，メモリ、光ディスク等から構成されており、コンテンツＤＢ１から出力されたコンテンツもファイル形式で記録する。
【００１３】
（実施の形態２）
次に、実施の形態２について説明する。
実施の形態２は、図５に示すように、実施の形態１に対して、コンテンツ情報ファイル処理手段６が付加されている。前記コンテンツ情報ファイル処理手段６では、記録手段７に記録されたコンテンツの記録位置関係を示す制御ファイルを発生し、記録手段７に記録する。
即ち、前記コンテンツ情報ファイル処理手段６では、コンテンツＤＢ１から出力されたコンテンツと、記録手段７から出力されるコンテンツの記録位置情報をもとに、前記コンテンツが保有している時間軸情報と、記録手段７に記録したコンテンツのアドレス関係を示す情報を発生し、データ化して制御ファイルとして出力する。
例えば、図６に示すように、前記コンテンツの記録位置を示す記録メディアアドレスに対し、前記コンテンツの時間軸基準を示す、ＴＭ＿ＥＮＴ  ＃ｊを等時間軸間隔にポイントする。例えば、ＴＭ＿ＥＮＴ  ＃ｊを１秒（ＮＴＳＣ信号の場合、３０フレーム）毎に記録メディアアドレスをポイントする。
前記のようにマッピングすることで、コンテンツが１秒単位毎に分散記録されても、ＴＭ＿ＥＮＴ  ＃ｊから記録手段７の記録アドレスを一義的に求めることができる。さらに、図４で前述したようにメタデータファイルには、ファイル開始からの１秒ごとの基準時間（ＴＭ＿ＥＮＴ  （秒））と、基準時間からのフレームオフセット数を示す（ＴＭ＿ＯＦＦＳＥＴ）と、タイムコードと、メタデータとがＴＥＸＴ形式で記録されている。
従って、前記メタデータファイルの中でメタデータ１を指定すれば、タイムコード、基準時間、及び、フレームオフセット値がわかるので、図６に示す制御ファイルから記録手段７での記録位置が即座にわかることになる。
なお、ここでは前記ＴＭ＿ＥＮＴｊの等時間軸間隔は例えば、１秒おきにポイントとした例について説明したが、ＭＰＥＧ２圧縮等で用いられているＧＯＰ単位等に合わせて記述することもできる。
さらに、テレビビジョン信号のＮＴＳＣでは垂直同期信号が６０／１．００１Ｈｚであるため、絶対時間にあわせるためにドロップフレームモードに合わせたタイムコードと、前記垂直同期信号（６０／１．００１  Ｈｚ）にあわせたノンドロップタイムコードの２種類をしようする。この場合、ノンドロップタイムコードをＴＭ＿ＥＮＴ  ＃ｊであらわし、ＴＣ＿ＥＮＴ  ＃ｊをドロップフレーム対応タイムコードであらわして使用することもできる。
さらに、制御ファイルのデータ化は、ＳＭＩＬ２等の既存言語を用いてデータ化することも可能であり、さらに、ＳＭＩＬ２の機能をもちいれば、関連したコンテンツ、及び、メタデータファイルのファイル名も合わせてデータ化して、制御ファイルに格納することができる。
さらに、図６では記録手段の記録アドレスを直接表示する構成をしめしたが、記録アドレスの代わりに、コンテンツファイルの頭からタイムコードまでのデータ容量を表示し、前記データ容量とファイルシステムの記録アドレスから記録手段でのタイムコードの記録アドレスを計算し、検出してもよい。
また、本実施例では、ＴＭ＿ＥＮＴｊとタイムコードの対応テーブルをメタデータファイルに格納する形式で説明したが、前記ＴＭ＿ＥＮＴｊとタイムコードの対応テーブルは制御ファイル中に格納しても同様の効果がえられる。
（実施の形態３）
次に、実施の形態３について説明する。
【００１４】
実施の形態３は、図７に示すように、実施の形態２に対して、検索手段８が付加されている。前記検索手段８では検索したいシーンのキーワードを音声認識してメタデータを検出するのに使用した同一辞書ＤＢ４から選択し、設定する。
次に、検索手段８では前記メタデータファイルのメタデータ項目をサーチしてキーワードと一致するタイトル名とコンテンツシーンの位置（タイムコード）の一覧を表示する。
【００１５】
次に、一覧表示の中から、ひとつの特定シーンが設定された場合は、メタデータファイルの前記基準時間（ＴＭ＿ＥＮＴ  （秒））と、フレームオフセット数（ＴＭ＿ＯＦＦＳＥＴ）から制御ファイル中の記録メディアアドレスとを自動的に検出して記録手段７に設定し、前記記録手段７から記録メディアアドレスに記録されたコンテンツシーンをモニタ１１に再生する。上記のように構成することで、メタデータを検出して即座に、見たいシーンを検出できる装置を提供できる。
なお、コンテンツにリンクしたサムネイルファイルを準備しておけば、前述したキーワードに一致したコンテンツ名の一覧を表示する際、コンテンツの代表的サムネイル画を再生して表示することも可能である。
（実施の形態４）
次に、他の実施の形態について説明する。
前述の実施形態１〜３は、あらかじめ記録されているコンテンツにメタデータを付与するシステムについて述べたが、本発明をカメラ等、撮影時にメタデータを付与するシステム、特に、コンテンツ内容が前もって限定される風景撮り、或いは、撮影位置をメタデータとして付与するシステムに対して拡張できる。
このシステムを実施の形態４として、図６にその構成を示す。
カメラ５１で撮像し、コンテンツＤＢ５４に映像コンテンツが記録されると同時に、カメラが撮影している場所をＧＰＳ５２によって検出し、前記ＧＰＳ５２から出力された位置情報（経緯度数値）を音声合成手段５３で音声信号化した位置情報も別音声チャンネルに記録する。この場合、記録手段付きカメラ５０として、カメラ５１、ＧＰＳ５２、音声合成５３、コンテンツＤＢ５４を一体構成してもよい。
次に、コンテンツＤＢ５４では前記音声チャンネルに記録されている音声信号の位置情報を音声認識手段５６に入力する。
ここで、端子１０５から、キー入力ボード等によって、辞書ＤＢ５５の地域名、ランドマーク等を選択、制限し、前記音声認識手段５６に出力する。
音声認識手段５６では認識された経緯数値と辞書ＤＢ５５のデータを用いて地域名、ランドマークを検出し、ファイル処理手段５７に出力する。
次に、ファイル処理手段５７では、コンテンツＤＢ５４から出力されたタイムコードと音声認識手段５６から出力された地域名、ランドマークをメタデータとしてＴＥＸＴ化してメタデータファイルを発生させる。
次に、記録手段５８ではファイル処理手段５７から出力されたメタデータファイルとコンテンツＤＢ５４から出力されたコンテンツデータを記録する。
このように構成することで、撮影したシーン毎に、自動的に地域名、ランドマークのメタデータを付加することができる。
【００１６】
なお、上記の各実施形態において、一般的には、音声認識には何らかの誤認識が生じる可能性がある。誤認識が生じた場合、制作されたメタデータ、タグをコンピュータ手段などの情報処理手段を用いて修正することも可能である。
【００１７】
また、本発明に係る音声認識手段は単語単位で音声認識する単語認識方式とし、音声入力の単語数、及び、使用する認識辞書の単語数を制限することで、特に、音声認識率を改善することができる。
【００１８】
また、本発明では音声認識手段により認識したキーワードをタイムコード共に、メタデータファイルでファイル化する構成を記述したが、音声認識手段により認識したキーワードに加え、関連したキーワードを追加してファイル化してもよい。
【００１９】
例えば、音声で淀川を認識した場合は、地形、川等の一般属性キーワードも付加してファイル化する。こうすることで検索時、付加された地形、川等のキーワードも使用することができるので検索性を向上することができる。
【００２０】
【発明の効果】
以上説明したように本発明は、コンテンツに関連したメタデータの作成あるいはタグ付けを行うに当たり、制作されたコンテンツのシナリオ等から事前に抽出したキーワードを音声信号として入力し、また、前記シナリオに基づいて辞書分野の設定、及び，キーワードの優先順位つけをおこなっているため、効率よく、正確に音声認識手段からメタデータを発生することができる。
特に、数秒単位の間隔でメタデータを付与する場合は、キー入力では困難であるが、本構成のような音声入力、音声認識を用いれば、数秒単位間隔であっても効率よく、メタデータを付与できる。
また、前記コンテンツの記録位置を示す制御ファイルとメタデータ、及び、タイムコード等を示す前記メタデータファイルとを使用することによって、メタキーワードから一義的に必要なシーンを検索し、前記記録手段から再生することができる。
【図面の簡単な説明】
【図１】本発明の実施の形態１に係るメタデータ制作装置の構成を示すブロック図
【図２】本発明に係る辞書ＤＢの一例を示す構成図
【図３】本発明に係るシナリオの一例を示すレシピ図
【図４】本発明に係るメタデータファイルの一例を示すＴＥＸＴ形式のデータ図
【図５】本発明の実施の形態２に係るメタデータ検索装置の構成を示すブロック図
【図６】本発明の情報ファイルの一例を示す構成図
【図７】本発明の実施の形態３に係るメタデータ検索装置の構成を示すブロック図
【図８】本発明の実施形態４に係るメタデータ制作装置の構成を示すブロック図
【符号の説明】
１  コンテンツＤＢ
２  入力手段
３  音声認識手段
４  辞書ＤＢ４
５  ファイル処理手段
６  コンテンツ情報ファイル処理手段
７  記録手段
１１  映像モニタ
５０  記録装置付きカメラ
５１  カメラ
５２  ＧＰＳ
５３  音声合成手段
５４  コンテンツＤＢ
５５  辞書ＤＢ
５６  音声認識手段
５７  ファイル処理手段
５８  記録手段
１０１  音声入力端子
１０２  辞書分野選択入力端子
１０５  辞書地名選択入力端子
【図１】
2004153764.tif 000003
【図２】
2004153764.tif 000004
【図３】
2004153764.tif 000005
【図４】
2004153764.tif 000006
【図５】
2004153764.tif 000007
【図６】
2004153764.tif 000008
【図７】
2004153764.tif 000009
【図８】
2004153764.tif 000010